(57)【要約】【課題】  無線タグの有無に関係なく、書籍などの情報記録媒体の管理を容易に実施可能にする情報記録媒体の管理用のデータベースを構築すること。【解決手段】  管理装置において無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信するステップと、センタサーバにおいて管理装置から受信した前記識別情報に対応した情報記録媒体の無線タグの記録コードおよび詳細情報を前記データベースから取得し、その無線タグの記録コードおよび詳細情報を管理装置に送信すると共に、前記記録コードを記録した無線タグを発行するステップと、管理装置においてセンタサーバから受信した無線タグの記録コードおよび詳細情報を識別情報別に前記管理用データベースに格納する。【選択図】      図１９
2005309597.tif 000002
【特許請求の範囲】
【請求項１】
個人または組織が収蔵している書籍、音楽ＣＤ等の情報記録媒体を各情報記録媒体に取り付けた無線タグによって管理するための管理用データベースを構築する方法であって、
個人または組織が所有する管理装置において無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１のステップと、
前記センタサーバにおいて前記管理装置から受信した前記識別情報に対応した情報記録媒体の無線タグの記録コードおよび詳細情報を前記データベースから取得し、その無線タグの記録コードおよび詳細情報を無線タグ発行要求元の管理装置に送信すると共に、前記記録コードを記録した無線タグを発行する第２のステップと、
前記管理装置において前記センタサーバから受信した無線タグの記録コードおよび詳細情報を識別情報別に前記管理用データベースに格納し、前記センタサーバから送付された無線タグを取り付けた情報記録媒体と対応付ける第３のステップと、
を備えることを特徴とする情報記録媒体の管理用データベースの構築方法。
【請求項２】
個人または組織が収蔵している書籍、音楽ＣＤ等の情報記録媒体を各情報記録媒体に取り付けた無線タグによって管理するための管理用データベースを構築する方法であって、
個人または組織が所有する管理装置において無線タグが取り付けられていない情報記録媒体の識別情報を入力手段から受付け、該識別情報を含む無線タグの発行要求を前記情報記録媒体の詳細情報を記録したデータベースを備えたセンタサーバに対して送信する第１のステップと、
前記センタサーバにおいて前記管理装置から受信した前記識別情報に対応した情報記録媒体の無線タグの記録コードおよび詳細情報を前記データベースから取得し、その無線タグの記録コードおよび詳細情報を無線タグ発行要求元の管理装置に送信すると共に、前記記録コードを記録した無線タグを発行する第２のステップと、
前記管理装置において前記センタサーバから受信した無線タグの記録コードおよび詳細情報を識別情報別に前記管理用データベースに格納し、前記センタサーバから送付された無線タグを取り付けた情報記録媒体と対応付ける第３のステップと、
無線タグが取り付けられている情報記録媒体が収納棚に新たに収納されたか否かを無線タグ読取り手段によって監視し、無線タグが取り付けられている情報記録媒体が新たに収納された場合には当該無線タグの記録コードに対応する詳細情報が前記管理用データベースに既に格納されているかを判定し、格納されていなければ該無線タグの記録コードを添付した詳細情報送信要求を前記センタサーバに送信する第４のステップと、
前記センタサーバにおいて前記管理装置から受信した前記記録コードに対応した情報記録媒体の識別情報および詳細情報を前記データベースから取得し、要求元の管理装置に送信する第５のステップと、
前記管理装置において前記センタサーバから受信した情報記録媒体の識別情報および詳細情報を前記記録コードと対応付けて識別情報別に前記管理用データベースに格納する第６のステップとを備え、
前記センタサーバから送付された無線タグを取り付けた情報記録媒体と予め無線タグが取り付けられている情報記録媒体を管理するための前記管理用データベースを構築することを特徴とする情報記録媒体の管理用データベースの構築方法。
【請求項３】
無線タグを取り付けた各情報記録媒体の収納位置を無線タグ読取り手段によって検出し、その検出した収納位置の情報を各情報記録媒体の識別情報と対応付けて前記管理用データベースに記録する第７のステップをさらに備えることを特徴とする請求項１または２に記載の情報記録媒体の管理用データベースの構築方法。
【請求項４】
前記無線タグの発行要求に対し前記センタサーバから管理装置に対して予め定めた発行料金を課金する第８のステップをさらに備えることを特徴とする請求項１〜３のいずれか一項に記載の情報記録媒体の管理用データベースの構築方法。
【請求項５】
前記詳細情報が書籍の目次および索引の情報であることを特徴とする請求項１〜４のいずれか一項に記載の情報記録媒体の管理用データベースの構築方法。
【請求項６】
個人または組織が収蔵している書籍、音楽ＣＤ等の情報記録媒体を各情報記録媒体に取り付けた無線タグによって管理するための管理用データベースを構築する方法であって、
個人または組織が所有する管理装置において任意の検索キーワードを入力手段から受付け、該検索キーワードを含む詳細情報が前記管理用データベースに記憶されているかを判定し、記憶されていなければ検索キーワードを添付した詳細情報取得要求をセンタサーバに送信する第１のステップと、
センタサーバにおいて情報記録媒体の識別情報および詳細情報を記憶したデータベースから前記検索キーワードを含む詳細情報および該詳細情報に対応する識別情報を検索し、詳細情報要求元の管理装置に送信する第２のステップと、
詳細情報要求元の管理装置においてセンタサーバから受信した詳細情報および識別情報を識別情報別に前記管理用データベースに格納する第３のステップと
を備えることを特徴とする情報記録媒体の管理用データベースの構築方法。
【請求項７】
個人または組織が収蔵している書籍、音楽ＣＤ等の情報記録媒体を各情報記録媒体に取り付けた無線タグによって管理する管理用データベースを構築するための管理装置であって、
無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１の手段と、
前記センタサーバによる前記データベースの検索の結果、当該センタサーバから受信した前記識別情報に対応した情報記録媒体の無線タグの記録コードおよび詳細情報を前記識別情報別に前記管理用データベースに格納し、前記センタサーバから発行された無線タグを取り付けた情報記録媒体と対応付ける第２の手段と、
を備えることを特徴とする情報記録媒体の管理用データベースの構築に用いる管理装置。
【請求項８】
個人または組織が収蔵している書籍、音楽ＣＤ等の情報記録媒体を各情報記録媒体に取り付けた無線タグによって管理する管理用データベースを構築するための管理装置であって、
無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１の手段と、
前記センタサーバによる前記データベースの検索の結果、当該センタサーバから受信した前記識別情報に対応した情報記録媒体の無線タグの記録コードおよび詳細情報を識別情報別に前記管理用データベースに格納し、前記センタサーバから送付された無線タグを取り付けた情報記録媒体と対応付ける第２の手段と、
無線タグが取り付けられている情報記録媒体が収納棚に新たに収納されたか否かを無線タグ読取り手段によって監視し、無線タグが取り付けられている情報記録媒体が新たに収納された場合には当該無線タグの記録コードに対応する詳細情報が前記管理用データベースに既に格納されているかを判定し、格納されていなければ該無線タグの記録コードを添付した詳細情報送信要求を前記センタサーバに送信する第３の手段と、
前記センタサーバによる前記データベースの検索の結果、当該センタサーバから受信した前記記録コードに対応した情報記録媒体の識別情報および詳細情報を前記記録コードと対応付けて識別情報別に前記管理用データベースに格納する第４の手段とを備えることを特徴とする情報記録媒体の管理用データベースの構築に用いる管理装置。
【請求項９】
個人または組織が収蔵している書籍、音楽ＣＤ等の情報記録媒体を各情報記録媒体に取り付けた無線タグによって管理するための管理用データベースを構築するための管理装置であって、
任意の検索キーワードを入力手段から受付け、該検索キーワードを含む詳細情報が前記管理用データベースに記憶されているかを判定し、記憶されていなければ検索キーワードを添付した詳細情報取得要求を、情報記録媒体の識別情報および詳細情報を記憶したデータベースを備えたセンタサーバに送信する第１の手段と、
センタサーバによる前記データベースの検索の結果、当該センタサーバから前記検索キーワードを含む詳細情報および該詳細情報に対応する識別情報を受信する第２の手段と、
センタサーバから受信した詳細情報および識別情報を識別情報別に前記管理用データベースに格納する第３の手段と
を備えることを特徴とする情報記録媒体の管理用データベースの構築に用いる管理装置。
【請求項１０】
無線タグを取り付けた各情報記録媒体の収納位置を無線タグ読取り手段によって検出し、その検出した収納位置の情報を各情報記録媒体の識別情報と対応付けて前記管理用データベースに記録する手段をさらに備えることを特徴とする請求項７〜９のいずれか一項に記載の情報記録媒体の管理用データベースの構築に用いる管理装置。
【請求項１１】
前記詳細情報が書籍の目次および索引の情報であることを特徴とする請求項７〜１０のいずれか一項に記載の情報記録媒体の管理用データベースの構築に用いる管理装置。
【請求項１２】
個人または組織が所有する管理装置から無線タグが取り付けられていない情報記録媒体の識別情報を添付した無線タグの発行要求を受信し、その受信した識別情報に対応した情報記録媒体の無線タグの記録コードおよび詳細情報をデータベースから取得し、その無線タグの記録コードおよび詳細情報を無線タグ発行要求元の管理装置に送信する第１の手段と、
前記記録コードを記録した無線タグを発行する第２の手段と
を備えることを特徴とする情報記録媒体の管理用のサーバ装置。
【請求項１３】
個人または組織が所有する管理装置から無線タグが取り付けられていない情報記録媒体の識別情報が添付された無線タグの発行要求を受信し、その受信した前記識別情報に対応した情報記録媒体の無線タグの記録コードおよび詳細情報をデータベースから取得し、その無線タグの記録コードおよび詳細情報を無線タグ発行要求元の管理装置に送信する第１の手段と、
前記記録コードを記録した無線タグを発行する第２の手段と、
前記管理装置から無線タグが取り付けられている情報記録媒体の無線タグ記録コードが添付された詳細情報送信要求を受信し、その記録コードに対応する詳細情報および識別情報をデータベースから取得し、要求元の管理装置に送信する第３の手段と
を備えることを特徴とする情報記録媒体の管理用のサーバ装置。
【請求項１４】
個人または組織が所有する管理装置から任意の検索キーワードを受信し、その受信した検索キーワードを含む詳細情報および該詳細情報に対応する識別情報をデータベースから取得し、前記管理装置に送信する第１の手段を備えることを特徴とする情報記録媒体の管理用のサーバ装置。
【請求項１５】
前記無線タグの発行要求に対し要求元の管理装置に予め定めた発行料金を課金する手段をさらに備えることを特徴とする請求項１２に記載の情報記録媒体の管理用のサーバ装置。
【請求項１６】
情報記録媒体の識別情報および詳細情報を送信した検索要求元の管理装置に対して予め定めた情報提供サービス料金を課金する手段をさらに備えることを特徴とする請求項１３〜１５のいずれか一項に記載の情報記録媒体の管理用のサーバ装置。
【請求項１７】
前記管理装置から受信した検索キーワードを含む詳細情報が前記データベースに記憶されていなかった場合、当該検索キーワードを検索履歴情報データベースに記録する手段をさらに備えることを特徴とする請求項１４に記載の情報記録媒体の管理用のサーバ装置。
【請求項１８】
個人または組織が収蔵している書籍、音楽ＣＤ等の情報記録媒体を各情報記録媒体に取り付けた無線タグによって管理する管理用データベースを構築するためのコンピュータを、
無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１の手段と、
前記センタサーバによる前記データベースの検索の結果、当該センタサーバから受信した前記識別情報に対応した情報記録媒体の無線タグの記録コードおよび詳細情報を前記識別情報別に前記管理用データベースに格納し、前記センタサーバから発行された無線タグを取り付けた情報記録媒体と対応付ける第２の手段として機能させるプログラム。
【請求項１９】
個人または組織が収蔵している書籍、音楽ＣＤ等の情報記録媒体を各情報記録媒体に取り付けた無線タグによって管理する管理用データベースを構築するためのコンピュータを、
無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１の手段と、
前記センタサーバによる前記データベースの検索の結果、当該センタサーバから受信した前記識別情報に対応した情報記録媒体の無線タグの記録コードおよび詳細情報を識別情報別に前記管理用データベースに格納し、前記センタサーバから送付された無線タグを取り付けた情報記録媒体と対応付ける第２の手段と、
無線タグが取り付けられている情報記録媒体が収納棚に新たに収納されたか否かを無線タグ読取り手段によって監視し、無線タグが取り付けられている情報記録媒体が新たに収納された場合には当該無線タグの記録コードに対応する詳細情報が前記管理用データベースに既に格納されているかを判定し、格納されていなければ該無線タグの記録コードを添付した詳細情報送信要求を前記センタサーバに送信する第３の手段と、
前記センタサーバによる前記データベースの検索の結果、当該センタサーバから受信した前記記録コードに対応した情報記録媒体の識別情報および詳細情報を前記記録コードと対応付けて識別情報別に前記管理用データベースに格納する第４の手段として機能させるプログラム。
【請求項２０】
個人または組織が収蔵している書籍、音楽ＣＤ等の情報記録媒体を各情報記録媒体に取り付けた無線タグによって管理するための管理用データベースを構築するためのコンピュータを、
任意の検索キーワードを入力手段から受付け、該検索キーワードを含む詳細情報が前記管理用データベースに記憶されているかを判定し、記憶されていなければ検索キーワードを添付した詳細情報取得要求を、情報記録媒体の識別情報および詳細情報を記憶したデータベースを備えたセンタサーバに送信する第１の手段と、
センタサーバによる前記データベースの検索の結果、当該センタサーバから前記検索キーワードを含む詳細情報および該詳細情報に対応する識別情報を受信する第２の手段と、
センタサーバから受信した詳細情報および識別情報を識別情報別に前記管理用データベースに格納する第３の手段として機能させるプログラム。
【請求項２１】
無線タグを取り付けた各情報記録媒体の収納位置を無線タグ読取り手段によって検出し、その検出した収納位置の情報を各情報記録媒体の識別情報と対応付けて前記管理用データベースに記録する第４の手段としてさらに機能させる請求項１８〜２０のいずれか一項に記載のプログラム。
【発明の詳細な説明】
【技術分野】
【０００１】
本発明は、書籍、音楽や映像（または画像）を記録したＣＤ−ＲＯＭ等の情報記録媒体を管理するのに用いる管理用データベースの構築方法および装置、構築した管理用データベースを用いて情報記録媒体を管理する管理方法および装置に係り、特に、検索キーワードに対応する目次や索引を持つ情報記録媒体を容易に検索可能にする方法および装置に関するものである。
【背景技術】
【０００２】
近時において、無線タグを用いて各種の物品の管理を行うシステム開発が増加している。
無線タグ（電子タグ、ＩＣタグなどと呼ぶ場合もある）には、カード形式のもの、バーコードのようなラベルにアンテナとＩＣチップを埋め込んだラベル形式（米国特許５，５８３，８１９号）のものなどがある。この無線タグを用いるシステムは、書籍等の物品に取り付けられる無線タグと呼ばれる応答器と、ホスト側に接続される質問器とで構成され、これら応答器と質問器との間で、磁気、誘導電磁界、マイクロ波（電波）等の伝送媒体を介して非接触で交信を行うことを特徴としている。
無線タグを用いた場合の情報伝送方式には電磁結合方式、マイクロ波方式、光通信方式等がある。これらの方式のうち、電磁結合方式、マイクロ波方式によるものは、質問器からの伝送信号のエネルギーを応答器の駆動電力として用いることができる。このため、電池を駆動源とする場合のように、電池の減衰による応答能力の劣化や使用限界に至る心配がないという利点を有している。
また、最近において株式会社日立製作所で「ミューチップ」という０．４ｍｍサイズの超小型の無線タグが開発され、各種の商品管理に使用されつつある。
そこで、従来、下記の特許文献１に開示されているように、非接触型の無線タグを書籍に貼り付け（または埋め込み）、書籍の収納場所を管理する物品管理システムが提案されている。
【特許文献１】特開２００３−７２９１９号公報
【０００３】
この特許文献１で提案されているシステムにおいては、無線タグＩＤと対応付けてパーソナルコンピュータの記憶装置に記憶させる書籍のタイトル（題名）や著者、出版社などの情報を管理者が手動で入力している。
このシステムによれば、タイトルや著者名を検索キーワードとして入力することにより、検索キーワードに対応した書籍がどこに収納されているかを容易に知ることができる。
ところで、研究者や著述業を営む者では、任意のキーワードに対応する記事や記述が、自身が収蔵している多数の書籍のうちどれに、さらにはどの頁に記載されているかを知りたい場合が多い。
しかし、上記の特許文献１で提案されているシステムでは、記憶装置に記憶させるタグ情報として、タイトルや著者名、分野などの限られた情報しか記憶させていないため、検索キーワードとして入力可能な情報が限定されてしまい、該当書籍名と該当頁までの情報を知ることはできない。
【発明の開示】
【発明が解決しようとする課題】
【０００４】
そこで、目次や索引などのさらに詳しい情報を記憶させておくことが考えられるが、入力作業が煩雑なものとなり、実用できないという問題がある。
この場合、下記の特許文献２に開示されているように、目次や索引の情報を記録したＣＤ−ＲＯＭ等の記録媒体を入手して記憶装置に記憶させることが考えられる。
【特許文献１】特開２０００−１４８７８４号公報
【０００５】
しかし、研究者自身が収蔵している書籍に対応する目次情報等を記録したＣＤ−ＲＯＭを出版社に注文し、それが届いた後にＣＤ−ＲＯＭの記録内容を記憶装置に記憶させるといった作業が必要になる。これは、収蔵している書籍のそれぞれに対して必要な作業になるため、蔵書数が多い研究者や著述家にとっては極めて大きな負担となり、実用的でない。
無線タグ自身に書籍の目次情報や索引情報を記憶させることができれば、上記のようなことを解決することができる。しかし、無線タグ自身の記憶容量は１２８ビット程度であるため、書籍の発行番号や出版社番号などのコード情報のみを記憶するのが限界であり、目次情報や索引情報などの膨大なデータを記憶することはできない。
しかも、今後においては、書店等における販売管理のために予め無線タグを取り付けた書籍が普及することが予想される。
すると、研究者や著述家にとっては蔵書の管理をパーソナルコンピュータ等で行うに当って、無線タグを取り付けた書籍と無線タグを取り付けていない書籍とが並存する環境で管理する作業が必要になり、極めて大きな負担となる。
【０００６】
本発明の目的は、無線タグの有無に関係なく、個人または組織が収蔵している書籍や音楽ＣＤなどの情報記録媒体の管理を容易に実施可能にする情報記録媒体の管理用のデータベースの構築方法および装置並びにプログラムを提供することにある。
【課題を解決するための手段】
【０００７】
上記目的を達成するために、本発明に係る方法は、個人または組織が収蔵している書籍、音楽ＣＤ等の情報記録媒体を各情報記録媒体に取り付けた無線タグによって管理するための管理用データベースを構築する方法であって、
個人または組織が所有する管理装置において無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１のステップと、前記センタサーバにおいて前記管理装置から受信した前記識別情報に対応した情報記録媒体の無線タグの記録コードおよび詳細情報を前記データベースから取得し、その無線タグの記録コードおよび詳細情報を無線タグ発行要求元の管理装置に送信すると共に、前記記録コードを記録した無線タグを発行する第２のステップと、前記管理装置において前記センタサーバから受信した無線タグの記録コードおよび詳細情報を識別情報別に前記管理用データベースに格納し、前記センタサーバから送付された無線タグを取り付けた情報記録媒体と対応付ける第３のステップとを備えることを特徴とする。
また、個人または組織が収蔵している書籍、音楽ＣＤ等の情報記録媒体を各情報記録媒体に取り付けた無線タグによって管理するための管理用データベースを構築する方法であって、
個人または組織が所有する管理装置において無線タグが取り付けられていない情報記録媒体の識別情報を入力手段から受付け、該識別情報を含む無線タグの発行要求を前記情報記録媒体の詳細情報を記録したデータベースを備えたセンタサーバに対して送信する第１のステップと、前記センタサーバにおいて前記管理装置から受信した前記識別情報に対応した情報記録媒体の無線タグの記録コードおよび詳細情報を前記データベースから取得し、その無線タグの記録コードおよび詳細情報を無線タグ発行要求元の管理装置に送信すると共に、前記記録コードを記録した無線タグを発行する第２のステップと、前記管理装置において前記センタサーバから受信した無線タグの記録コードおよび詳細情報を識別情報別に前記管理用データベースに格納し、前記センタサーバから送付された無線タグを取り付けた情報記録媒体と対応付ける第３のステップと、無線タグが取り付けられている情報記録媒体が収納棚に新たに収納されたか否かを無線タグ読取り手段によって監視し、無線タグが取り付けられている情報記録媒体が新たに収納された場合には当該無線タグの記録コードに対応する詳細情報が前記管理用データベースに既に格納されているかを判定し、格納されていなければ該無線タグの記録コードを添付した詳細情報送信要求を前記センタサーバに送信する第４のステップと、前記センタサーバにおいて前記管理装置から受信した前記記録コードに対応した情報記録媒体の識別情報および詳細情報を前記データベースから取得し、要求元の管理装置に送信する第５のステップと、前記管理装置において前記センタサーバから受信した情報記録媒体の識別情報および詳細情報を前記記録コードと対応付けて識別情報別に前記管理用データベースに格納する第６のステップとを備え、前記センタサーバから送付された無線タグを取り付けた情報記録媒体と予め無線タグが取り付けられている情報記録媒体を管理するための前記管理用データベースを構築することを特徴とする。
【０００８】
また、無線タグを取り付けた各情報記録媒体の収納位置を無線タグ読取り手段によって検出し、その検出した収納位置の情報を各情報記録媒体の識別情報と対応付けて前記管理用データベースに記録する第７のステップをさらに備えることを特徴とする。
また、前記無線タグの発行要求に対し前記センタサーバから管理装置に対して予め定めた発行料金を課金する第８のステップをさらに備えることを特徴とする。
また、前記詳細情報が書籍の目次および索引の情報であることを特徴とする。
【０００９】
また、個人または組織が収蔵している書籍、音楽ＣＤ等の情報記録媒体を各情報記録媒体に取り付けた無線タグによって管理するための管理用データベースを構築する方法であって、
個人または組織が所有する管理装置において任意の検索キーワードを入力手段から受付け、該検索キーワードを含む詳細情報が前記管理用データベースに記憶されているかを判定し、記憶されていなければ検索キーワードを添付した詳細情報取得要求をセンタサーバに送信する第１のステップと、センタサーバにおいて情報記録媒体の識別情報および詳細情報を記憶したデータベースから前記検索キーワードを含む詳細情報および該詳細情報に対応する識別情報を検索し、詳細情報要求元の管理装置に送信する第２のステップと、詳細情報要求元の管理装置においてセンタサーバから受信した詳細情報および識別情報を識別情報別に前記管理用データベースに格納する第３のステップとを備えることを特徴とする。
本発明に係る装置は、個人または組織が収蔵している書籍、音楽ＣＤ等の情報記録媒体を各情報記録媒体に取り付けた無線タグによって管理する管理用データベースを構築するための管理装置であって、
無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１の手段と、前記センタサーバによる前記データベースの検索の結果、当該センタサーバから受信した前記識別情報に対応した情報記録媒体の無線タグの記録コードおよび詳細情報を前記識別情報別に前記管理用データベースに格納し、前記センタサーバから発行された無線タグを取り付けた情報記録媒体と対応付ける第２の手段とを備えることを特徴とする。
また、個人または組織が収蔵している書籍、音楽ＣＤ等の情報記録媒体を各情報記録媒体に取り付けた無線タグによって管理する管理用データベースを構築するための管理装置であって、
無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１の手段と、前記センタサーバによる前記データベースの検索の結果、当該センタサーバから受信した前記識別情報に対応した情報記録媒体の無線タグの記録コードおよび詳細情報を識別情報別に前記管理用データベースに格納し、前記センタサーバから送付された無線タグを取り付けた情報記録媒体と対応付ける第２の手段と、無線タグが取り付けられている情報記録媒体が収納棚に新たに収納されたか否かを無線タグ読取り手段によって監視し、無線タグが取り付けられている情報記録媒体が新たに収納された場合には当該無線タグの記録コードに対応する詳細情報が前記管理用データベースに既に格納されているかを判定し、格納されていなければ該無線タグの記録コードを添付した詳細情報送信要求を前記センタサーバに送信する第３の手段と、前記センタサーバによる前記データベースの検索の結果、当該センタサーバから受信した前記記録コードに対応した情報記録媒体の識別情報および詳細情報を前記記録コードと対応付けて識別情報別に前記管理用データベースに格納する第４の手段とを備えることを特徴とする。
【００１０】
また、個人または組織が収蔵している書籍、音楽ＣＤ等の情報記録媒体を各情報記録媒体に取り付けた無線タグによって管理するための管理用データベースを構築するための管理装置であって、
任意の検索キーワードを入力手段から受付け、該検索キーワードを含む詳細情報が前記管理用データベースに記憶されているかを判定し、記憶されていなければ検索キーワードを添付した詳細情報取得要求を、情報記録媒体の識別情報および詳細情報を記憶したデータベースを備えたセンタサーバに送信する第１の手段と、センタサーバによる前記データベースの検索の結果、当該センタサーバから前記検索キーワードを含む詳細情報および該詳細情報に対応する識別情報を受信する第２の手段と、センタサーバから受信した詳細情報および識別情報を識別情報別に前記管理用データベースに格納する第３の手段とを備えることを特徴とする。
また、無線タグを取り付けた各情報記録媒体の収納位置を無線タグ読取り手段によって検出し、その検出した収納位置の情報を各情報記録媒体の識別情報と対応付けて前記管理用データベースに記録する手段をさらに備えることを特徴とする。
また、前記詳細情報が書籍の目次および索引の情報であることを特徴とする。
【００１１】
また、本発明に係るサーバ装置は、個人または組織が所有する管理装置から無線タグが取り付けられていない情報記録媒体の識別情報を添付した無線タグの発行要求を受信し、その受信した識別情報に対応した情報記録媒体の無線タグの記録コードおよび詳細情報をデータベースから取得し、その無線タグの記録コードおよび詳細情報を無線タグ発行要求元の管理装置に送信する第１の手段と、前記記録コードを記録した無線タグを発行する第２の手段とを備えることを特徴とする。
また、個人または組織が所有する管理装置から無線タグが取り付けられていない情報記録媒体の識別情報が添付された無線タグの発行要求を受信し、その受信した前記識別情報に対応した情報記録媒体の無線タグの記録コードおよび詳細情報をデータベースから取得し、その無線タグの記録コードおよび詳細情報を無線タグ発行要求元の管理装置に送信する第１の手段と、前記記録コードを記録した無線タグを発行する第２の手段と、前記管理装置から無線タグが取り付けられている情報記録媒体の無線タグ記録コードが添付された詳細情報送信要求を受信し、その記録コードに対応する詳細情報および識別情報をデータベースから取得し、要求元の管理装置に送信する第３の手段とを備えることを特徴とする。
また、個人または組織が所有する管理装置から任意の検索キーワードを受信し、その受信した検索キーワードを含む詳細情報および該詳細情報に対応する識別情報をデータベースから取得し、前記管理装置に送信する第１の手段を備えることを特徴とする。
【００１２】
また、前記無線タグの発行要求に対し要求元の管理装置に予め定めた発行料金を課金する手段をさらに備えることを特徴とする。
また、情報記録媒体の識別情報および詳細情報を送信した検索要求元の管理装置に対して予め定めた情報提供サービス料金を課金する手段をさらに備えることを特徴とする。
また、前記管理装置から受信した検索キーワードを含む詳細情報が前記データベースに記憶されていなかった場合、当該検索キーワードを検索履歴情報データベースに記録する手段をさらに備えることを特徴とする。
【００１３】
本発明に係るプログラムは、個人または組織が収蔵している書籍、音楽ＣＤ等の情報記録媒体を各情報記録媒体に取り付けた無線タグによって管理する管理用データベースを構築するためのコンピュータを、
無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１の手段と、前記センタサーバによる前記データベースの検索の結果、当該センタサーバから受信した前記識別情報に対応した情報記録媒体の無線タグの記録コードおよび詳細情報を前記識別情報別に前記管理用データベースに格納し、前記センタサーバから発行された無線タグを取り付けた情報記録媒体と対応付ける第２の手段として機能させることを特徴とする。
また、個人または組織が収蔵している書籍、音楽ＣＤ等の情報記録媒体を各情報記録媒体に取り付けた無線タグによって管理する管理用データベースを構築するためのコンピュータを、
無線タグが取り付けられていない情報記録媒体の識別情報を入力手段から受付け、該識別情報を添付した無線タグの発行要求を前記情報記録媒体の詳細情報を記録したデータベースを備えたセンタサーバに対して送信する第１の手段と、前記センタサーバによる前記データベースの検索の結果、当該センタサーバから受信した前記識別情報に対応した情報記録媒体の無線タグの記録コードおよび詳細情報を識別情報別に前記管理用データベースに格納し、前記センタサーバから送付された無線タグを取り付けた情報記録媒体と対応付ける第２の手段と、無線タグが取り付けられている情報記録媒体が収納棚に新たに収納されたか否かを無線タグ読取り手段によって監視し、無線タグが取り付けられている情報記録媒体が新たに収納された場合には当該無線タグの記録コードに対応する詳細情報が前記管理用データベースに既に格納されているかを判定し、格納されていなければ該無線タグの記録コードを添付した詳細情報送信要求を前記センタサーバに送信する第３の手段と、前記センタサーバによる前記データベースの検索の結果、当該センタサーバから受信した前記記録コードに対応した情報記録媒体の識別情報および詳細情報を前記記録コードと対応付けて識別情報別に前記管理用データベースに格納する第４の手段として機能させることを特徴とする。
また、個人または組織が収蔵している書籍、音楽ＣＤ等の情報記録媒体を各情報記録媒体に取り付けた無線タグによって管理するための管理用データベースを構築するためのコンピュータを、
任意の検索キーワードを入力手段から受付け、該検索キーワードを含む詳細情報が前記管理用データベースに記憶されているかを判定し、記憶されていなければ検索キーワードを添付した詳細情報取得要求を、情報記録媒体の識別情報および詳細情報を記憶したデータベースを備えたセンタサーバに送信する第１の手段と、センタサーバによる前記データベースの検索の結果、当該センタサーバから前記検索キーワードを含む詳細情報および該詳細情報に対応する識別情報を受信する第２の手段と、センタサーバから受信した詳細情報および識別情報を識別情報別に前記管理用データベースに格納する第３の手段として機能させることを特徴とする。
また、無線タグを取り付けた各情報記録媒体の収納位置を無線タグ読取り手段によって検出し、その検出した収納位置の情報を各情報記録媒体の識別情報と対応付けて前記管理用データベースに記録する第４の手段としてさらに機能させることを特徴とする。
【発明の効果】
【００１４】
本発明によれば、無線タグの有無に関係なく、個人または組織が収蔵している書籍や音楽ＣＤなどの情報記録媒体の管理を容易に実施可能にする情報記録媒体の管理用のデータベースを極めて容易に構築することができる。
これにより、研究者や著述家にあっては、任意のキーワードを含む記録がどの媒体（書籍、音楽ＣＤ，ＤＶＤ）にあるか、またその該当頁を容易に知ることができるようになり、仕事の効率を向上させるのに貢献することができる。
【発明を実施するための最良の形態】
【００１５】
以下、図面を参照して本発明を詳細に説明する。
図１は、本発明の実施の形態を示すシステム構成図であり、出版情報サービスセンタ１、図書館２、書店３、個人ユーザ４が使用するサーバ１０、２０、３０、パーソナルコンピュータ（ＰＣ）をインタネット５で接続した構成になっている。
出版情報サービスセンタ１に置かれるサーバ１は、多数の出版社が発行した書籍や音楽ＣＤ，デジタルビデオディスク（ＤＶＤ）などの情報記録媒体について、題名、著者名、などの情報に加え、目次や索引などを含む詳細情報が記憶されたデータベースを備えており、図書館２、書店３、個人ユーザ４から目次等の詳細情報の取得要求があった場合には、その詳細情報をデータベースから検索して要求元に返信する機能を備えている。
また、図書館２、書店３、個人ユーザ４から無線タグの発行要求があった場合には、例えば書籍名に該当する記録コードを記録した無線タグ６を無線タグ発行装置１７で発行し、要求元に郵送などの手段によって送付する。
無線タグ６には、図２に例示するように、書籍などの情報記録媒体の発行番号コード６０１、題名コード６０２、著者名コード６０３、発行社名コード６０４、発行年月日コード６０５が英数字の組み合わせによって記録されている。
なお、無線タグ発行装置１７は、出版社毎に設置し、情報記録媒体の発行元の出版社で発行して要求元に送付することもある。
出版情報サービスセンタ１に置かれるサーバ１は、図書館２、書店３、個人ユーザ４に対して書籍等の情報記録媒体の詳細情報を送信した場合、予め定めた情報提供サービス料金を課金する。
同様に、無線タグ１７を送付した場合も、予め定めた料金を課金する。
【００１６】
図３は、出版情報サービスセンタ１におけるサーバ１の詳細構成を示す機能ブロック図であり、書籍情報データベース１１、音楽情報データベース１２、画像情報データベース１３、検索キーワード履歴情報ＤＢ１４、ユーザ情報ＤＢ１５，課金情報ＤＢ１６、無線タグ発行装置１７、入力装置１８を備えている。また、メモリ１０Ｍ内には、管理プログラム１００と、無線タグ発行プログラム１０７、情報登録プログラム１０８が記憶されている。
管理プログラム１００は、書籍情報検索処理部１０１、音楽情報検索処理部１０２、画像情報検索処理部１０３、検索キーワード管理処理部１０４、ユーザ管理処理部１０５、課金処理部１０６を備えている。
書籍情報検索処理部１０１、音楽情報検索処理部１０２、画像情報検索処理部１０３は、例えば個人ユーザ４のＰＣ４０から書籍、音楽、画像の発行番号コードや無線タグの記録コードを受信した場合、それに対応する識別情報として、書籍の題名、音楽ＣＤの題名、ＤＶＤの題名などを書籍情報ＤＢ１１、音楽情報ＤＢ１２、画像情報ＤＢ１３から検索して個人ユーザ４のＰＣ４０に返信する。また、書籍情報検索処理部１０１は、書籍の目次や索引などの詳細情報の送信要求を受信した場合には、該当する書籍の目次や索引を含む詳細情報を書籍情報ＤＢ１１から検索し、要求元に返信する。音楽情報検索処理部１０２、画像情報検索処理部１０３も同様に、音楽ＣＤ、ＤＶＤの詳細情報の送信要求を受信した場合には、音楽ＣＤ、ＤＶＤの詳細情報を音楽情報ＤＢ１２、画像情報ＤＢ１３から検索して要求元に返信する。
【００１７】
検索キーワード管理処理部１０４は、例えば個人ユーザ４のＰＣ４０から書籍を検索するための任意のキーワードを受信した場合に、そのキーワードを含む記録内容を持つ書籍が検索できたか否かを検索キーワード履歴情報ＤＢ１４に記録する。
出版情報サービスセンタ１の管理者は、検索キーワード履歴情報ＤＢ１４に記録されているキーワードの一覧により、各ユーザ（図書館、書店、個人）がどのような記録内容の媒体（書籍、音楽ＣＤ，ＤＶＤ）を欲しているかを知ることができ、出版計画の参考にすることができるようになっている。
ユーザ管理処理部１０５は、各ユーザ（図書館、書店、個人）の検索キーワードや情報提供サービスにかかる課金額等をユーザ別にユーザ情報ＤＢ１５に記録する。
課金処理部１０６は、書籍等の詳細情報等の情報提供料または無線タグの発行料金をユーザ別に課金情報ＤＢ１６に記録する。
無線タグ発行プログラム１０７は、各ユーザ（図書館、書店、個人）から媒体（書籍、音楽ＣＤ，ＤＶＤ）に貼り付ける無線タグの発行要求に対して、該当する記録コードが記録された無線タグ６を無線タグ発行装置１７から発行させる。
情報登録プログラム１０８は、入力装置１８から入力される媒体（書籍、音楽ＣＤ，ＤＶＤ）の識別情報や詳細情報を各データベース１１、１２、１３に記憶させる。
なお、各情報ＤＢ１１、１２、１３、１４、１５に記録される情報については後述する。
ここで、識別情報とは、情報記録媒体を特定する固有の情報であり、例えば書籍の場合には題名、発行番号、発行社名（出版社名）、発行年月日などの要素のうち、１つまたは２つ以上の要素の組み合わせて構成される情報である。
題名が分かっている書籍の収納位置を検索する場合、上記の全ての要素を入力する必要はなく、題名のみを入力する。同じ題名の書籍が異なる発行社または著者から発行されているような場合には、題名と発行社、または題名と著者名を入力する。
本発明においては、上記の要素のうち１つまたは２つ以上の要素を組み合わせたものを情報記録媒体の識別情報と言う。
詳細情報とは、情報記録媒体の記載内容あるいは記録内容について、代表的あるいは特徴的な字句や事項、内容を示す情報であり、例えば書籍については目次、索引、キーワードリストなどを指す。本実施形態においては、各書籍について関連する情報が開示されているＷｅｂサイトのアドレス（ＵＲＬ）も含めている。
【００１８】
図４は、図書館２のサーバ２０の詳細構成を示す機能ブロック図であり、書籍情報データベース２１、音楽情報データベース２２、画像情報データベース２３、検索端末２４、無線タグ読取り装置２５、管理端末２６を備えている。また、メモリ２０Ｍ内には、管理プログラム２００と、貸出し・返却管理プログラム２０５、情報登録プログラム２０６が記憶されている。
管理プログラム２００は、書籍情報検索処理部２０１、音楽情報検索処理部２０２、画像情報検索処理部２０３、書棚管理処理部２０４を備えている。
書籍情報検索処理部２０１、音楽情報検索処理部２０２、画像情報検索処理部２０３は、図書館２の利用者または管理者が検索端末２４から任意のキーワードを入力した場合、そのキーワードを含む題名または詳細情報を持つ書籍、音楽ＣＤ、ＤＶＤを書籍情報ＤＢ２１、音楽情報ＤＢ２２、画像情報ＤＢ２３から検索して検索端末２４の画面に出力する。
また、検索端末２４から管理者が無線タグの記録コードを検索端末２４に付属した読取り機によって入力した場合、それに対応する媒体の詳細情報が書籍情報ＤＢ２１、音楽情報ＤＢ２２、画像情報ＤＢ２３に既に記憶されているかを検索し、記憶されていなければ、管理者からの要求に応じて該当する詳細情報を出版情報サービスセンタ１のサーバ１０に要求して取得し、書籍情報ＤＢ２１、音楽情報ＤＢ２２、画像情報ＤＢ２３に追加記憶させる。
また、検索端末２４から管理者が媒体の題名を識別情報として入力した場合、それに対応する媒体の詳細情報が書籍情報ＤＢ２１、音楽情報ＤＢ２２、画像情報ＤＢ２３に既に記憶されているかを検索し、記憶されていなければ、管理者からの要求に応じて該当する詳細情報を出版情報サービスセンタ１のサーバ１０に要求して取得し、書籍情報ＤＢ２１、音楽情報ＤＢ２２、画像情報ＤＢ２３に追加記憶させる。
この書籍情報検索処理部２０１、音楽情報検索処理部２０２、画像情報検索処理部２０３の機能により、題名だけが登録されている媒体（書籍、音楽ＣＤ、ＤＶＤ）、または無線タグが貼り付けられているだけで未だ題名も登録されていない媒体であっても、その詳細情報を出版情報サービスセンタ１のサーバ１０から取得して各ＤＢ２１〜２３に追加記憶させることができる。すなわち、題名だけが登録されているＤＢ２１〜２３、または題名も登録されていないＤＢ２１〜２３を目次等の詳細情報まで検索範囲とするデータベースに極めて容易に構築することが可能になる。
【００１９】
書棚管理処理部２０４は、書棚に収納されている各書籍に貼り付けられた無線タグの記録コードを無線タグ読取り装置２５に所定時間間隔で読み取らせ、無線タグが貼り付けられている媒体（書籍、音楽ＣＤ，ＤＶＤ）の収納位置を検出し、その検出した収納位置の情報を無線タグが貼り付けられている各媒体の識別情報と対応付けて各ＤＢ２１，２２，２３に記憶させる。
この書棚管理処理部２０４の機能により、無線タグが貼り付けられている媒体（書籍、音楽ＣＤ，ＤＶＤ）については、収納位置まで検索して図書館の利用者に提示することが可能になっている。
貸出し・返却プログラム２０５は、図書館の利用者に媒体（書籍、音楽ＣＤ，ＤＶＤ）を貸出した場合、あるいは媒体が返却された場合に、そのことをＤＢ２１、２２，２３に記録する。この貸出し・返却管理については公知の技術を適用することができるので、詳細な説明は省略する。
情報登録プログラム２０６は、管理端末２６から入力される媒体（書籍、音楽ＣＤ，ＤＶＤ）の識別情報などを各データベース１１、１２、１３に記憶させる。これは、無線タグが貼り付けられていない媒体（書籍、音楽ＣＤ，ＤＶＤ）について、その識別情報として題名や発行番号コードを入力する場合に使用するものである。
なお、各情報ＤＢ２１、２２、２３に記録される情報については後述する。
【００２０】
図５は、書店３のサーバ３０の詳細構成を示す機能ブロック図であり、書籍情報データベース３１、音楽情報データベース３２、画像情報データベース３３、検索端末３４、無線タグ読取り装置３５、ＰＯＳ端末３６を備えている。また、メモリ３０Ｍ内には、管理プログラム３００と、販売管理プログラム３０５、情報登録プログラム３０６が記憶されている。
管理プログラム３００は、書籍情報検索処理部３０１、音楽情報検索処理部３０２、画像情報検索処理部３０３、書棚管理処理部３０４を備えている。
書籍情報検索処理部３０１、音楽情報検索処理部３０２、画像情報検索処理部３０３は、書店３の利用者または管理者が検索端末３４から任意のキーワードを入力した場合、そのキーワードを含む題名または詳細情報を持つ書籍、音楽ＣＤ、ＤＶＤを書籍情報ＤＢ３１、音楽情報ＤＢ３２、画像情報ＤＢ３３から検索して検索端末３４の画面に出力する。
また、検索端末３４から管理者が無線タグの記録コードを検索端末３４に付属した読取り機によって入力した場合、それに対応する媒体の詳細情報が書籍情報ＤＢ３１、音楽情報ＤＢ３２、画像情報ＤＢ３３に既に記憶されているかを検索し、記憶されていなければ、管理者からの要求に応じて該当する詳細情報を出版情報サービスセンタ１のサーバ１０に要求して取得し、書籍情報ＤＢ３１、音楽情報ＤＢ３２、画像情報ＤＢ３３に追加記憶させる。
また、検索端末３４から管理者が媒体の題名を識別情報として入力した場合、それに対応する媒体の詳細情報が書籍情報ＤＢ３１、音楽情報ＤＢ３２、画像情報ＤＢ３３に既に記憶されているかを検索し、記憶されていなければ、管理者からの要求に応じて該当する詳細情報を出版情報サービスセンタ１のサーバ１０に要求して取得し、書籍情報ＤＢ３１、音楽情報ＤＢ３２、画像情報ＤＢ３３に追加記憶させる。
この書籍情報検索処理部３０１、音楽情報検索処理部３０２、画像情報検索処理部３０３の機能により、題名だけが登録されている媒体（書籍、音楽ＣＤ、ＤＶＤ）、または無線タグが貼り付けられているだけで未だ題名も登録されていない媒体であっても、その詳細情報を出版情報サービスセンタ１のサーバ１０から取得して各ＤＢ３１〜３３に追加記憶させることができる。すなわち、題名だけが登録されているＤＢ３１〜３３、または題名も登録されていないＤＢ３１〜３３を目次等の詳細情報まで検索範囲とするデータベースに極めて容易に構築することが可能になる。
【００２１】
書棚管理処理部２０４は、書棚に収納されている各書籍に貼り付けられた無線タグの記録コードを無線タグ読取り装置３５に所定時間間隔で読み取らせ、無線タグが貼り付けられている媒体（書籍、音楽ＣＤ，ＤＶＤ）の収納位置を検出し、その検出した収納位置の情報を無線タグが貼り付けられている各媒体の識別情報と対応付けて各ＤＢ３１，３２，３３に記憶させる。
この書棚管理処理部３０４の機能により、無線タグが貼り付けられている媒体（書籍、音楽ＣＤ，ＤＶＤ）については、収納位置まで検索して書店３の利用者に提示することが可能になっている。
販売管理プログラム３０５は、書店３の利用者に媒体（書籍、音楽ＣＤ，ＤＶＤ）を販売した場合、ＰＯＳ端末３６で読み取った無線タグの記録コードに対応する媒体（書籍、音楽ＣＤ，ＤＶＤ）の在庫数を更新する。この販売管理については公知の技術を適用することができるので、詳細な説明は省略する。
情報登録プログラム３０６は、検索端末３４から入力される媒体（書籍、音楽ＣＤ，ＤＶＤ）の識別情報などを各データベース１１、１２、１３に記憶させる。これは、無線タグが貼り付けられていない媒体（書籍、音楽ＣＤ，ＤＶＤ）について、その識別情報として題名や発行番号コードを入力する場合に使用するものである。
なお、各情報ＤＢ３１、３２、３３に記録される情報については図書館２と同様であるので詳細については省略する。
【００２２】
図６は、個人ユーザ４のＰＣ４０の詳細構成を示す機能ブロック図であり、書籍情報データベース４１、音楽情報データベース４２、画像情報データベース４３、入力装置４４、無線タグ読取り装置４５、ディスプレイ４６を備えている。また、メモリ４０Ｍ内には、管理プログラム４００と、情報登録プログラム４０５が記憶されている。
管理プログラム４００は、書籍情報検索処理部４０１、音楽情報検索処理部４０２、画像情報検索処理部４０３、書棚管理処理部４０４を備えている。
書籍情報検索処理部４０１、音楽情報検索処理部４０２、画像情報検索処理部４０３は、個人ユーザ４が入力装置４４から任意のキーワードを入力した場合、そのキーワードを含む題名または詳細情報を持つ書籍、音楽ＣＤ、ＤＶＤを書籍情報ＤＢ４１、音楽情報ＤＢ４２、画像情報ＤＢ４３から検索してディスプレイ４６の画面に出力する。
また、入力装置４４から個人ユーザ４が無線タグの記録コードを入力装置４４に付属した読取り機によって入力した場合、それに対応する媒体の詳細情報が書籍情報ＤＢ４１、音楽情報ＤＢ４２、画像情報ＤＢ４３に既に記憶されているかを検索し、記憶されていなければ、個人ユーザ４からの要求に応じて該当する詳細情報を出版情報サービスセンタ１のサーバ１０に要求して取得し、書籍情報ＤＢ４１、音楽情報ＤＢ４２、画像情報ＤＢ４３に追加記憶させる。
【００２３】
また、入力装置４４から個人ユーザ４が媒体の題名を識別情報として入力した場合、それに対応する媒体の詳細情報が書籍情報ＤＢ４１、音楽情報ＤＢ４２、画像情報ＤＢ４３に既に記憶されているかを検索し、記憶されていなければ、個人ユーザ４からの要求に応じて該当する詳細情報を出版情報サービスセンタ１のサーバ１０に要求して取得し、書籍情報ＤＢ４１、音楽情報ＤＢ４２、画像情報ＤＢ４３に追加記憶させる。
この書籍情報検索処理部４０１、音楽情報検索処理部４０２、画像情報検索処理部４０３の機能により、題名だけが登録されている媒体（書籍、音楽ＣＤ、ＤＶＤ）、または無線タグが貼り付けられているだけで未だ題名も登録されていない媒体であっても、その詳細情報を出版情報サービスセンタ１のサーバ１０から取得して各ＤＢ４１〜４３に追加記憶させることができる。すなわち、題名だけが登録されているＤＢ４１〜４３、または題名も登録されていないＤＢ４１〜４３を目次等の詳細情報まで検索範囲とするデータベースに極めて容易に構築することが可能になる。
【００２４】
書棚管理処理部４０４は、個人ユーザ４の書棚に収納されている各書籍に貼り付けられた無線タグの記録コードを無線タグ読取り装置４５に所定時間間隔で読み取らせ、無線タグが貼り付けられている媒体（書籍、音楽ＣＤ，ＤＶＤ）の収納位置を検出し、その検出した収納位置の情報を無線タグが貼り付けられている各媒体の識別情報と対応付けて各ＤＢ４１，４２，４３に記憶させる。
この書棚管理処理部４０４の機能により、無線タグが貼り付けられている媒体（書籍、音楽ＣＤ，ＤＶＤ）については、収納位置まで検索して個人ユーザ４に提示することが可能になっている。
情報登録プログラム４０６は、入力装置４４から入力される媒体（書籍、音楽ＣＤ，ＤＶＤ）の識別情報などを各データベース４１、４２、４３に記憶させる。これは、無線タグが貼り付けられていない媒体（書籍、音楽ＣＤ，ＤＶＤ）について、その識別情報として題名や発行番号コードを入力する場合に使用するものである。
なお、各情報ＤＢ４１、４２、４３に記録される情報については後述する。
【００２５】
図７は、無線タグ読取り装置の概要を示す図であり、書籍等の収納棚７１には、タグセンサ７２が幅方向に多数個設けられており、この収納棚７１に無線タグ６を貼り付けた書籍等の情報記録媒体を収納した場合、無線タグ６に記録された記録コードはタグセンサ７２によって読み取られる。それぞれのタグセンサ７２は図７（ｂ）に示す走査部７３によって順次に駆動され、無線タグ６の記録コードを読み取る。走査部７３は書棚管理処理部２０４（３０４、４０４）によって各タグセンサ７２を所定時間間隔で駆動するように制御され、書棚７１に収納された無線タグ付きの情報記録媒体の無線タグ情報（記録コード）を読み取るように構成されている。
【００２６】
図８は、出版情報サービスセンタ１の書籍情報ＤＢ１１の記憶情報の例を示す図であり、書籍等の情報記録媒体の無線タグの記録コード１１０１、記録コード１１０１に対応した情報記録媒体の識別情報１１０２および詳細情報１１０６、課金情報１１０７が記憶されている。
記録コード１１０１は、情報記録媒体の発行番号コード、題名コード、著者名コード、発行社名コード、発行年月日コードなどで構成され、英数字のコードで記録されている。
識別情報１１０２は、記録コード１１０１の各コードに対応したものであり、発行番号コードや題名コード等を利用者が理解可能な表現に対応付けたものが記録されている。
例えば、題名コード＝２００１５に対しては「坊ちゃん」、著者名コード＝３１２３４に対しては「夏目漱石」という情報が記録されている。
詳細情報１１０６は、識別情報１１０２で特定される書籍に含まれる索引（またはキーワード）１１０４や目次１１０３、関連図書を閲覧可能なＷｅｂサイトのＵＲＬ１１０５などの情報で構成されている。
課金情報１１０７は、記録コード１１０１、識別情報１１０２、詳細情報１１０６を個人ユーザなどに送信した場合の情報提供サービス料金や無線タグの発行料金の情報で構成されている。
これらの記録コード１１０１、識別情報１１０２、詳細情報１１０６、課金情報１１０７は書籍の識別情報別に記録されるようになっている。
【００２７】
図９は、出版情報サービスセンタ１の音楽情報ＤＢ１２の記憶情報の例を示す図であり、音楽ＣＤ等の情報記録媒体の無線タグの記録コード１２０１、記録コード１２０１に対応した情報記録媒体の識別情報１２０２および詳細情報１２０７、課金情報１２０８が記憶されている。
記録コード１２０１は、情報記録媒体の発行番号コード、題名コード、歌手名／楽団コード、発行社名コード、発行年月日コードなどで構成され、英数字のコードで記録されている。
識別情報１２０２は、記録コード１２０１の各コードに対応したものであり、発行番号コードや題名コード等を利用者が理解可能な表現に対応付けたものが記録されている。
例えば、題名コード＝３００１５に対しては「××の歌」、歌手名／楽団コード＝５１２３４に対しては「日本太郎」という情報が記録されている。
詳細情報１２０７は、識別情報１２０２で特定される音楽ＣＤに含まれる曲名１２０３、作詞・作曲者名１２０４、楽譜１２０５、関連情報を閲覧可能なＷｅｂサイトのＵＲＬ１２０６などの情報で構成されている。
課金情報１２０８は、記録コード１２０１、識別情報１２０２、詳細情報１２０７を個人ユーザなどに送信した場合の情報提供サービス料金や無線タグの発行料金の情報で構成されている。
これらの記録コード１２０１、識別情報１２０２、詳細情報１２０７、課金情報１２０８は音楽ＣＤの識別情報別に記録されるようになっている。
【００２８】
図１０は、出版情報サービスセンタ１の画像情報ＤＢ１３の記憶情報の例を示す図であり、ＤＶＤ等の画像または映像を記録した情報記録媒体の無線タグの記録コード１３０１、記録コード１３０１に対応した情報記録媒体の識別情報１３０２および詳細情報１３０７、課金情報１３０８が記憶されている。
記録コード１３０１は、情報記録媒体の発行番号コード、題名コード、監督／撮影者コード、発行社名コード、発行年月日コードなどで構成され、英数字のコードで記録されている。
識別情報１３０２は、記録コード１３０１の各コードに対応したものであり、発行番号コードや題名コード等を利用者が理解可能な表現に対応付けたものが記録されている。
例えば、題名コード＝４００１５に対しては「日本の歴史」、監督／撮影者コード＝８１２３４に対しては「横浜次郎」という情報が記録されている。
詳細情報１３０７は、識別情報１３０２で特定されるＤＶＤ等の情報記録媒体に含まれる画像名１３０３、監督・撮影者名１３０４、概要１３０５、関連情報を閲覧可能なＷｅｂサイトのＵＲＬ１３０６などの情報で構成されている。
課金情報１３０８は、記録コード１３０１、識別情報１３０２、詳細情報１３０７を個人ユーザなどに送信した場合の情報提供サービス料金や無線タグの発行料金の情報で構成されている。
これらの記録コード１３０１、識別情報１３０２、詳細情報１３０７、課金情報１３０８はＤＶＤ等の情報記録媒体の識別情報別に記録されるようになっている。
【００２９】
図１１は、出版情報サービスセンタ１の検索キーワード履歴情報ＤＢ１４の記録情報の例を示す図であり、個人ユーザ等が任意のキーワードにより該当する書籍などを検索した場合に、検索時刻１４０１の順に、キーワード１４０２、ヒット状況１４０３、ユーザＩＤ１４０４，分野１４０５などが記録されるようになっている。
検索に成功した場合（ヒットした場合）、ヒットした情報記録媒体の発行社名がヒット状況１４０３に記録される。ヒットしなかった場合には、「なし」の情報が記録される。
出版情報サービスセンタ１の管理者は、キーワードの履歴を参照することにより、ユーザがどのようなキーワードを含む書籍等を求めているかを把握することができる。また、ヒットしなかったキーワードに対してはそのキーワードを含むような情報記録媒体の発行計画を作成するのに役立てることができる。
【００３０】
図１２は、出版情報サービスセンタ１のユーザ情報ＤＢ１５の記録情報の例を示す図であり、個人ユーザ等が任意のキーワードにより該当する書籍などを検索した場合に、ユーザＩＤ１５０１別に、検索時刻１５０２、キーワード１５０３、ヒット状況１５０４、分野１５０５、課金額１５０６などが記録されるようになっている。
検索に成功した場合（ヒットした場合）、ヒットした情報記録媒体の発行社名がヒット状況１５０４に記録される。ヒットしなかった場合には、「なし」の情報が記録される。
なお、ユーザＩＤは出版情報サービスセンタ１へのユーザ登録操作によって各ユーザに付与されるものである。このユーザ登録手続については公知の技術を用いることができるので省略する。
【００３１】
図１３は、図書館２における書籍情報ＤＢ２１の記憶情報の例を示す図であり、書籍等の情報記録媒体の無線タグの記録コード２１１０、記録コード２１１０に対応した書籍の識別情報２１００および詳細情報２１２０が記憶されるようになっている。
記録コード２１１０は、書籍の発行番号コード、題名コード、著者名コード、発行社名コード、発行年月日コードなどで構成され、英数字のコードで記録されている。
識別情報２１００は、記録コード２１１０の各コードに対応したものであり、図８の書籍情報ＤＢ１１と同様に、発行番号コードや題名コード等を利用者が理解可能な表現に対応付けた情報２１０１〜２１０５が記録されている。
図書館２の識別情報２１００には、図書館に特有の情報として、管理番号２１０６、書棚番号２１０７、貸し出し中か否かを識別するための現在状態２１０８が記録されるようになっている。
詳細情報２１２０は、識別情報２１００で特定される書籍に含まれる目次２１２２や索引（またはキーワード）２１２３、関連図書を閲覧可能なＷｅｂサイトのＵＲＬ２１２４などの情報の他に、図書館固有の情報として無線タグ読取り装置２５によって検出した無線タグ付きの書籍の現在の書棚位置２１２５が記憶されるようになっている。この詳細情報２１２０は、発行番号２１２１によって識別情報２１００と関連付けられている。
これらの記録コード２１１０、識別情報２１００、詳細情報２１２０は書籍の識別情報別に記録されるようになっている。
【００３２】
図１４は、図書館２における音楽情報ＤＢ２２の記憶情報の例を示す図であり、音楽ＣＤ等の情報記録媒体の無線タグの記録コード２２１０、記録コード２２１０に対応した音楽ＣＤの識別情報２２００および詳細情報２２２０が記憶されるようになっている。
記録コード２２１０は、音楽ＣＤの発行番号コード、題名コード、歌手名／楽団名コード、発行社名コード、発行年月日コードなどで構成され、英数字のコードで記録されている。
識別情報２１００は、記録コード２２１０の各コードに対応したものであり、図９の音楽情報ＤＢ１２と同様に、発行番号コードや題名コード等を利用者が理解可能な表現に対応付けた情報２２０１〜２２０５が記録されている。
図書館２の識別情報２２００には、図書館に特有の情報として、管理番号２２０６、書棚番号２２０７、貸し出し中か否かを識別するための現在状態２２０８が記録されるようになっている。
詳細情報２２２０は、識別情報２２００で特定される音楽ＣＤに含まれる曲名２２２２や作詞・作曲者名２２２３、楽譜２２２４、関連情報を閲覧可能なＷｅｂサイトのＵＲＬ２２２５などの情報の他に、図書館固有の情報として無線タグ読取り装置２５によって検出した無線タグ付きの音楽ＣＤの現在の書棚位置２２２６が記憶されるようになっている。この詳細情報２２２０は、発行番号２２２１によって識別情報２２００と関連付けられている。
これらの記録コード２２１０、識別情報２２００、詳細情報２２２０は音楽ＣＤの識別情報別に記録されるようになっている。
【００３３】
図１５は、図書館２における画像情報ＤＢ２３の記憶情報の例を示す図であり、ＤＶＤ等の情報記録媒体の無線タグの記録コード２３１０、記録コード２３１０に対応したＤＶＤの識別情報２３００および詳細情報２３２０が記憶されるようになっている。
記録コード２３１０は、ＤＶＤの発行番号コード、題名コード、監督／撮影者名コード、発行社名コード、発行年月日コードなどで構成され、英数字のコードで記録されている。
識別情報２３００は、記録コード２３１０の各コードに対応したものであり、図１０の画像情報ＤＢ１３と同様に、発行番号コードや題名コード等を利用者が理解可能な表現に対応付けた情報２３０１〜２３０５が記録されている。
図書館２の識別情報２３００には、図書館に特有の情報として、管理番号２３０６、書棚番号２３０７、貸し出し中か否かを識別するための現在状態２３０８が記録されるようになっている。
詳細情報２３２０は、識別情報２３００で特定されるＤＶＤに含まれる画像名／映画名２３２２や監督・撮影者名２３２３、概要２３２４、関連情報を閲覧可能なＷｅｂサイトのＵＲＬ２３２５などの情報の他に、図書館固有の情報として無線タグ読取り装置２５によって検出した無線タグ付きのＤＶＤの現在の書棚位置２３２６が記憶されるようになっている。この詳細情報２３２０は、発行番号２３２１によって識別情報２３００と関連付けられている。
これらの記録コード２３１０、識別情報２３００、詳細情報２３２０はＤＶＤの識別情報別に記録されるようになっている。
なお、書店３における書籍情報ＤＢ，音楽情報ＤＢ、画像情報ＤＢについても図書館２の書籍情報ＤＢ，音楽情報ＤＢ、画像情報ＤＢと同様の情報が記録されるようになっている。但し、書店３の場合には、管理番号２１０６や貸し出し中か否かの情報２１０８は記録されない。
【００３４】
図１６は、個人ユーザ４における書籍情報ＤＢ４１の記憶情報の例を示す図であり、書籍等の情報記録媒体の無線タグの記録コード４１１０、記録コード４１１０に対応した書籍の識別情報４１００および詳細情報４１２０が記憶されるようになっている。
記録コード４１１０は、書籍の発行番号コード、題名コード、著者名コード、発行社名コード、発行年月日コードなどで構成され、英数字のコードで記録されている。
識別情報４１００は、記録コード４１１０の各コードに対応したものであり、図８の書籍情報ＤＢ１１と同様に、発行番号コードや題名コード等を利用者が理解可能な表現に対応付けた情報４１０１〜４１０５が記録されている。
詳細情報２１２０は、識別情報４１００で特定される書籍に含まれる目次４１２２や索引（またはキーワード）４１２３、関連図書を閲覧可能なＷｅｂサイトのＵＲＬ４１２４などの情報の他に、無線タグ読取り装置４５によって検出した無線タグ付きの書籍の現在の書棚位置４１２５が記憶されるようになっている。この詳細情報４１２０は、発行番号４１２１によって識別情報４１００と関連付けられている。
これらの記録コード４１１０、識別情報４１００、詳細情報４１２０は書籍の識別情報別に記録されるようになっている。
【００３５】
図１７は、個人ユーザ４における音楽情報ＤＢ４２の記憶情報の例を示す図であり、音楽ＣＤ等の情報記録媒体の無線タグの記録コード４２１０、記録コード４２１０に対応した音楽ＣＤの識別情報４２００および詳細情報４２２０が記憶されるようになっている。
記録コード４２１０は、音楽ＣＤの発行番号コード、題名コード、歌手名／楽団名コード、発行社名コード、発行年月日コードなどで構成され、英数字のコードで記録されている。
識別情報４１００は、記録コード４２１０の各コードに対応したものであり、図９の音楽情報ＤＢ１２と同様に、発行番号コードや題名コード等を利用者が理解可能な表現に対応付けた情報４２０１〜４２０５が記録されている。
詳細情報４２２０は、識別情報４２００で特定される音楽ＣＤに含まれる曲名４２２２や作詞・作曲者名４２２３、楽譜４２２４、関連情報を閲覧可能なＷｅｂサイトのＵＲＬ４２２５などの情報の他に、無線タグ読取り装置４５によって検出した無線タグ付きの音楽ＣＤの現在の書棚位置４２２６が記憶されるようになっている。この詳細情報４２２０は、発行番号４２２１によって識別情報４２００と関連付けられている。
これらの記録コード４２１０、識別情報４２００、詳細情報４２２０は音楽ＣＤの識別情報別に記録されるようになっている。
【００３６】
図１８は、個人ユーザ４における画像情報ＤＢ４３の記憶情報の例を示す図であり、ＤＶＤ等の情報記録媒体の無線タグの記録コード４３１０、記録コード４３１０に対応したＤＶＤの識別情報４３００および詳細情報４３２０が記憶されるようになっている。
記録コード４３１０は、ＤＶＤの発行番号コード、題名コード、監督／撮影者名コード、発行社名コード、発行年月日コードなどで構成され、英数字のコードで記録されている。
識別情報４３００は、記録コード４３１０の各コードに対応したものであり、図１０の画像情報ＤＢ１３と同様に、発行番号コードや題名コード等を利用者が理解可能な表現に対応付けた情報４３０１〜４３０５が記録されている。
詳細情報４３２０は、識別情報４３００で特定されるＤＶＤに含まれる画像名／映画名４３２２や監督・撮影者名４３２３、概要４３２４、関連情報を閲覧可能なＷｅｂサイトのＵＲＬ４３２５などの情報の他に、無線タグ読取り装置４５によって検出した無線タグ付きのＤＶＤの現在の書棚位置４３２６が記憶されるようになっている。この詳細情報４３２０は、発行番号４３２１によって識別情報４３００と関連付けられている。
これらの記録コード４３１０、識別情報４３００、詳細情報４３２０はＤＶＤの識別情報別に記録されるようになっている。
【００３７】
以上の構成において、個人ユーザ４がＰＣ４０で自身が収蔵している書籍等の情報記録媒体を管理するためのデータベースの構築手順および任意のキーワードに対応した索引などを持つ情報記録媒体を検索する手順について図１９〜図２３に示すフローチャートを参照して説明する。なお、以下では情報記録媒体が書籍である場合を代表して説明する。
図１９は、個人ユーザが無線タグ付きの書籍を購入し、その書籍の目次などの詳細情報を含むデータベースを構築しようとする場合の手順を示すフローチャートである。
まずＰＣ４０の管理プログラム４００を起動する。そして、無線タグ付きの書籍をタグセンサ７２が取り付けられている書棚７１に収納する。
すると、その書籍の無線タグの記録コードが無線タグ読取り装置４５によって読み取られる。読み取られた記録コードは管理プログラム４００に転送される。
管理プログラム４００は、書棚７１に現在収納されている多くの書籍に貼り付けられている無線タグの記録コードを全て記憶しているが、前回の読取り走査とは異なる記録コードが入力された場合には、新たな書籍が収納されたものとして認識する（ステップ１９０１）。
そして、その書籍の無線タグの記録コードにより書籍情報ＤＢ４１を検索し、当該記録コードと目次等の詳細情報４１２０や識別情報４１００が既に登録されている登録済みの書籍であるかを判定する(ステップ１９０２)。
登録済みの書籍であった場合には、書棚位置４１２５を書籍情報ＤＢ４１の詳細情報４１２０内に記録し（ステップ１９０８）、終了する。
しかし、登録済みでない書籍であった場合には、無線タグの記録コードを添付した詳細情報送信要求を出版情報サービスセンタ１に送信する（ステップ１９０３）。
これに対し、出版情報サービスセンタ１のサーバ１０の管理プログラム１００は、受信した無線タグの記録コードにより書籍データベース１１を検索し、当該無線タグの記録コードに対応する書籍の識別情報１１０２および詳細情報１１０６を取得し（ステップ１９０４）、要求元である個人ユーザ４のＰＣ４０宛に送信する（ステップ１９０５）。
【００３８】
識別情報１１０２および詳細情報１１０６を受信した個人ユーザ４のＰＣ４０の書棚管理処理部４０４は、識別情報４１００および詳細情報４１２０を無線タグから読み取った記録コード４１１０と対応付けて書籍情報ＤＢ４１に記憶させる（ステップ１９０６）。また、無線タグ読み取り装置４５によって検出した収納位置の情報４１２５を記録する（ステップ１９０７）。
これにより、新規に購入した無線タグ付きの書籍を書棚７１に収納するのみの簡単な操作により、当該書籍に関する題名等の識別情報４１００、目次等の詳細情報４１２０を登録した書籍情報ＤＢ４１を構築することが可能になる。
出版情報サービスセンタのサーバ１０は、詳細情報等の情報提供サービス料金の課金処理を行い（ステップ１９０８）、処理を終了する。
【００３９】
図２０は、任意のキーワードを入力装置４４から入力し、そのキーワードに対応する目次や索引を持つ書籍を検索すると共に、検索過程の中で詳細情報等をサーバ１０から取得して書籍情報ＤＢ４１を更新する場合の手順を示すフローチャートである。
個人ユーザ４は、管理プログラム４００を起動し、図２４（ａ）に示すような書籍検索画面２４０１をディスプレイ４６に表示させる（ステップ２００１）。
そして、書籍検索画面２４０１のキーワード入力欄に任意のキーワードを入力し、さらに検索対象として「書籍・雑誌・記事」を指定し、検索ボタン２４０２を操作する。
管理プログラム４００は、検索対象として「書籍・雑誌・記事」が指定されたことにより入力されたキーワードを書籍情報検索処理部４０１は入力する。
書籍情報検索処理部４０１は入力されたキーワードを受付け（ステップ２００２）、そのキーワードを含む詳細情報が書籍情報ＤＢ４１に登録されているかを検索する（ステップ２００３）。
キーワードを含む詳細情報が書籍情報ＤＢ４１に登録されていた場合には、詳細情報を持つ書籍の題名（識別情報）を図２４（ｂ）に示すような書籍検索結果画面２４０３に表示する（ステップ２００５）。
そして、この書籍検索結果画面２４０３において詳細表示ボタン２４０４が操作された場合には、図２５に示すような書籍検索結果目次、索引画面２５０１を表示する。
これにより、検索キーワードに対応する詳細情報を持つ書籍の題名と目次および頁番号を含む索引の情報を知ることができる。また、図２４（ｂ）の書籍検索結果画面２４０３には書籍の題名と書棚７１の収納位置が表示されるため、その収納位置から該当する書籍を容易に取り出すことが可能になる。
【００４０】
一方、キーワードを含む詳細情報が書籍情報ＤＢ４１に登録されていなかった場合には、書籍情報検索処理部４０１は入力されたキーワードとユーザＩＤからなる情報を出版情報サービスセンタ１のサーバ１０に送信する（ステップ２００６）。
出版情報サービスセンタ１のサーバ１０における書籍情報検索処理部１０１は、受信したキーワードにより書籍情報ＤＢ１１を検索し、キーワードを含む目次や索引を持つ書籍があるかどうかを判定する（ステップ２００７、２００８）。
キーワードを含む目次や索引を持つ書籍があった場合、その識別情報を個人ユーザ４のＰＣ４０に返信する（ステップ２０１０）。
個人ユーザのＰＣ４０における書籍情報検索処理部４０１は、受信した識別情報に対応する識別情報の書籍が書籍情報ＤＢ４１に登録されているかを検索する（ステップ２０１１）。検索の結果、サーバ１０から受信した識別情報に対応する識別情報が登録されていた場合には、その識別情報の中の題名の一覧を図２４（ｂ）のような検索結果画面２４０３に表示させる（ステップ２０１２、２０１３）。この場合、収納位置の情報は表示されない。
これに対し、サーバ１０の書籍情報検索処理部１０１は、書籍検索代行サービス料金の課金処理を行い（ステップ２００９）、ユーザ情報ＤＢ１５に記録する。また、検索に使用したキーワードとユーザＩＤ等を検索キーワード履歴情報ＤＢ１４に記録する。
【００４１】
図２４（ｂ）の検索結果画面２４０３において、表示されている書籍の題名一覧中で、いずれかの題名の書籍が選択された後、詳細表示ボタン２４０４が操作された場合、書籍情報検索処理部４０１は詳細情報取得要求が入力されたものと判定し(ステップ２０１４)、サーバ１０に対してステップ２００６で送信したキーワードに対応した詳細情報の送信要求を送信する（ステップ２０１５）。
サーバ１０は、ステップ２００６で受信したキーワードに対応した詳細情報を書籍情報ＤＢ１１から検索し、目次、索引を含む詳細情報をＰＣ４０に返信する（ステップ２０１７）。
ＰＣ４０の書籍情報検索処理部４０１は、受信した詳細情報を書籍情報ＤＢ４１に追加記録する（ステップ２０１８）。この場合、ステップ２０１０で受信した識別情報も追加記録する。
この後、受信した詳細情報を図２５に示すような画面２５０１に表示する（ステップ２０１９）。書籍検索代行サービス料金の課金処理を行い（ステップ２０２０）、ユーザ情報ＤＢ１５に記録する。
以上の処理により、任意のキーワードによる書籍の検索を行いながら、該当する書籍の識別情報や詳細情報を書籍情報ＤＢ４１に追加記録し、書籍情報ＤＢ４１を更新することができる。
【００４２】
次に、ＰＣ４０の書籍情報検索処理部４０１は、ステップ２０１７で受信した詳細情報に対応する無線タグを購入するための無線タグ購入画面をディスプレイ４６に表示させる（ステップ２０２１）。図２６に無線タグ購入画面２６０１の例を示している。
そこで、無線タグ購入画面２６０１において、住所、氏名、メールアドレス、決済種別（クレジット決済、現金振込みなど）を入力し、送信ボタン２６０２を操作することにより無線タグの購入操作が行われたならば、無線タグ購入要求をサーバ１０に対して送信する（ステップ２０２２、２０２３）。
サーバ１０は、ステップ２０１７で送信した詳細情報に対応する無線タグの記録コードを書籍情報ＤＢ１１から検索し、無線タグ発行プログラム１０７により無線タグ発行装置１７に転送する。
無線タグ発行装置１７は、指示された記録コードが記録された無線タグを発行する（ステップ２０２４）。発行された無線タグは出版情報サービスセンタの管理者により個人ユーザ４に送付される（ステップ２０２５）。サーバ１０は、無線タグの発行料金に係る課金処理を行い（ステップ２０２６）、ユーザ情報ＤＢ１５に記録する。さらに、詳細情報の提供サービス料金などの全ての課金額を合計し（ステップ２０２７）、課金情報ＤＢ１６にユーザＩＤを付加して記録した後、ＰＣ４０に送信する（ステップ２０２８）。
個人ユーザ４は、出版情報サービスセンタ１からの無線タグを受領したならば、その無線タグをステップ２０１７で受信した詳細情報が記録されている無線タグなしの書籍に貼り付け、書棚７１に収納する。
書棚７１に収納した場合、図１９のステップ１９０７の処理により収納位置が追加記録される。
以上により、無線タグが貼り付けられていない書籍であっても、無線タグを購入して貼り付け、かつ詳細情報や収納位置などを書籍情報ＤＢ４１に記録し、以後における書籍検索を容易に行うことが可能になる。
無線タグの購入操作が行われなかった場合にはＰＣ４０は、「タグ購入要求なし」をサーバ４０に送信する。サーバ４０は、ここまでの過程における課金額を合計し（ステップ２０２７）、ＰＣ４０に送信する（ステップ２０２８）。
【００４３】
一方、ステップ２０１２において、サーバ１０から任意のキーワードに対する詳細情報が記録されている書籍の識別情報は提示されたのであるが、個人ユーザ４の書籍情報ＤＢ４１を検索した結果、該当する書籍がなかった場合には、ＰＣ４０の書籍情報検索処理部４０１は該当書籍の購入画面を表示する（ステップ２０３０）。
書籍購入画面において該当書籍の購入操作が行われたならば(ステップ２０３１)、書籍情報検索処理部４０１はサーバ１０に対して購入要求を送信する（ステップ２０３５）。
サーバ１０の書籍情報検索処理部１０１は書籍在庫検索を行い（ステップ２０３６）、在庫があれば無線タグ付きの該当書籍を個人ユーザ４宛に発送させる（ステップ２０３７）。
個人ユーザ４が該当書籍の購入操作を行わなかった場合には、「購入要求無し」をサーバ１０に送信する（ステップ２０３２）。
サーバ１０の書籍情報検索処理部１０１は、ステップ２０３１に至るまでにＰＣ４０に提供した情報の課金額を合計し（ステップ２０３３）、ＰＣ４０に送信する（ステップ２０３４）。
以上により、任意のキーワードを含む詳細情報が記録された書籍を個人ユーザ４が所有していなかった場合には、直ちに購入手続をとり、該当する書籍を入手することが可能になる。
【００４４】
書店や図書館においても同様の手順で任意のキーワードを含む書籍が収蔵されているかを検索することができる。但し、書店や図書館の場合には、無線タグの購入手続や詳細情報の送信要求は課金処理が関係するために管理者あるいは店員によって行われる。
なお、サーバ１０の検索キーワード管理処理部１０４は、検索キーワード履歴情報ＤＢ１４に記録された履歴情報の中からヒットしなかったキーワードを予め定めた期間間隔で収集し、図２７に示すようなリスト２７００を作成し、出版情報サービスセンタ１の管理者あるいは該センタ１の運営に参加している出版社に提示する。
これにより、各出版社では、今後、どのような内容の書籍を出版すべきかを容易に判断することができる。
【００４５】
図２３は、図書館２での無線タグの購入手順を示すフローチャートである。
図書館２において、無線タグが貼り付けられていない書籍について無線タグを購入し、かつ目次等の詳細情報をサーバ１０から取得して書籍情報ＤＢ２１に記録する場合、管理プログラム２００を起動し、その中の書籍情報検索処理部２０１により図２８に示すような無線タグ購入画面２８０１を検索端末２４の画面に表示させる（ステップ２３０１）。
そこで、無線タグ購入画面２８０１において、無線タグの購入対象となる書籍の題名または発行番号コードを書籍の識別情報入力欄２８０２に入力し、かつ購入者の住所、氏名、メールアドレス、決済種別（クレジット決済、現金振込みなど）を購入者情報入力欄２８０３に入力し（ステップ２３０２）、送信ボタン２８０４を操作する。
すると、書籍情報検索処理部２０１は入力された無線タグの購入対象となる書籍の題名または発行番号コードの一覧と購入者情報とを１組にした無線タグ購入要求をサーバ１０に対して送信する（ステップ２３０３）。
サーバ１０は、受信した書籍の題名または発行番号コードの一覧に対応する無線タグの記録コードを書籍情報ＤＢ１１から検索し、無線タグ発行プログラム１０７により無線タグ発行装置１７に転送する。
【００４６】
無線タグ発行装置１７は、指示された記録コードが記録された無線タグを発行する（ステップ２３０４）。発行された無線タグは出版情報サービスセンタの管理者により図書館２に送付される（ステップ２３０５）。さらにサーバ１０は、発行した無線タグに対応する記録コード、識別情報、目次、索引などの詳細情報を書籍情報ＤＢ１１から検索し、図書館２のサーバ２０宛に送信する（ステップ２３０６、２３０７）。そして、無線タグの発行に係る料金と詳細情報の提供料金の合計処理を行い（ステップ２３０９）、図書館２のサーバ２０宛に送信する（ステップ２３１０）。課金額の合計はユーザ情報ＤＢ１５にユーザＩＤまたはユーザ氏名を付加して記録する。
図書館２のサーバ２０は、受信した記録コード、識別情報、目次、索引などの詳細情報を書籍情報ＤＢ２１に記録する。
また、図書館２の管理者は、出版情報サービスセンタ１から送付された無線タグを受領したならば、その無線タグをステップ２３０７で受信した詳細情報が記録されている無線タグなしの書籍に貼り付け、書棚に収納する。
書棚に収納した場合、図１９の処理と同様の処理により収納位置が追加記録される。
以上により、無線タグが貼り付けられていない書籍であっても、無線タグを購入して貼り付け、かつ詳細情報や収納位置などを書籍情報ＤＢ２１に記録し、以後における書籍検索を容易に行うことが可能になる。
なお、図書館や書店において、固有の管理番号などが既に登録されている場合には、その情報については自動的に転記することにより、固有の管理番号などを再度入力する手間がなくなる。
【００４７】
ところで、図２３の無線タグの購入手順は、個人ユーザ４や書店３でも同様にして行う。すなわち、無線タグなしの書籍が存在し、その書籍の無線タグを必要とするならば、図２３の手順と同様の手順により無線タグなしの書籍に貼り付ける無線タグを購入し、かつ詳細情報および識別情報を取得して書籍情報ＤＢに記録する。図２３の手順により無線タグを購入する場合、個人ユーザ４においては任意のキーワードによる書籍検索を経由せずに無線タグを取得することができる。
なお、図書館２においては、書籍情報ＤＢ２１の中の識別情報２１００，３１００を構成する発行番号２１０１〜発行年月日２１０５が既に登録されている場合、管理者の了解を得てサーバ４０から受信した識別情報で上書きする。
【００４８】
以上のことから明らかなように、上記の実施形態においては、無線タグ付きの情報記録媒体と無線タグなしの情報記録媒体が並存する環境であっても、無線タグ無しの情報記録媒体については無線タグを購入して貼り付け、かつ目次などの詳細情報をサーバから取得してデータベースに記録し、情報記録媒体の管理用のデータベースを容易に構築することができる。
また、無線タグ付きの情報記録媒体であっても、目次などの詳細情報を必要とする場合にはサーバから取得してデータベースに追加記録し、情報記録媒体を任意のキーワードで検索する場合のデータベースを容易に構築することができる。
さらに、無線タグ付きの情報記録媒体を新規に購入した場合には、書棚に収納するのみで目次などの詳細情報をサーバから取得してデータベースに記録することができるため、無線タグ付きの情報記録媒体を情報記録媒体を任意のキーワードで検索し、かつ書棚の収納位置を検索する場合のデータベースを容易に構築することができる。
そして、個人または組織が収蔵している書籍や音楽ＣＤなどの情報記録媒体の中から任意の検索キーワードに対応した記録内容があるタイトル名とその該当記録位置を容易に検索することができる。
これにより、研究者や著述家にあっては、任意のキーワードを含む記録がどの媒体（書籍、音楽ＣＤ，ＤＶＤ）にあるか、またその該当頁を容易に知ることができるようになり、仕事の効率を向上させるのに貢献することができる。
【００４９】
なお、上記で説明した情報記録媒体の識別情報には著者名、発行者名、発行年月日の情報が含まれているが、発行番号または題名の情報のみであっても構わない。
また、詳細情報は上記で説明した構成に限定されるものではなく、情報記録媒体の記録内容に応じて適宜に選択することができる。
また、無線タグは出版情報サービスセンタ側で発行しているが、書店や図書館、個人ユーザといったユーザ毎に無線タグ発行装置を設け、これらユーザ毎の無線タグ発行装置で発行し、ユーザ自身が収蔵する情報記録媒体に貼り付けるように構成してもよい。
【図面の簡単な説明】
【００５０】
【図１】本発明の実施の形態を示すシステム構成図である。
【図２】情報記録媒体に貼り付けられる無線タグの記録情報の例を示す図である。
【図３】出版情報サービスセンタのサーバの構成を示す機能構成図である。
【図４】図書館センタのサーバの構成を示す機能構成図である。
【図５】書店のサーバの構成を示す機能構成図である。
【図６】個人ユーザのパーソナルコンピュータの構成を示す機能構成図である。
【図７】無線タグ読取装置の概略構成図である。
【図８】出版情報サービスセンタにおける書籍情報ＤＢの記憶内容の例を示す図である。
【図９】出版情報サービスセンタにおける音楽情報ＤＢの記憶内容の例を示す図である。
【図１０】出版情報サービスセンタにおける画像情報ＤＢの記憶内容の例を示す図である。
【図１１】出版情報サービスセンタにおける検索キーワード履歴情報ＤＢの記憶内容の例を示す図である。
【図１２】出版情報サービスセンタにおけるユーザ情報ＤＢの記憶内容の例を示す図である。
【図１３】図書館における書籍情報ＤＢの記憶内容の例を示す図である。
【図１４】図書館における音楽情報ＤＢの記憶内容の例を示す図である。
【図１５】図書館における画像情報ＤＢの記憶内容の例を示す図である。
【図１６】個人ユーザにおける書籍情報ＤＢの記憶内容の例を示す図である。
【図１７】個人ユーザにおける音楽情報ＤＢの記憶内容の例を示す図である。
【図１８】個人ユーザにおける画像情報ＤＢの記憶内容の例を示す図である。
【図１９】無線タグ付きの書籍を書棚に収納することにより書籍情報ＤＢの記録内容を更新する手順を示すフローチャートである。
【図２０】任意のキーワードに対応する書籍を検索し、検索結果に応じて書籍情報ＤＢの記録内容を更新する手順を示すフローチャートである。
【図２１】無線タグ購入手順を示すフローチャートである。
【図２２】キーワードを含む目次、索引を持つ書籍を購入する場合の手順を示すフローチャートである。
【図２３】図書館での無線タグ購入手順を示すフローチャートである。
【図２４】任意のキーワードによる書籍検索画面と検索結果画面の例を示す図である。
【図２５】任意のキーワードによる書籍検索結果目次、索引画面の例を示す図である。
【図２６】無線タグ購入画面の例を示す図である。
【図２７】キーワードによる書籍検索の結果、ヒットしなかったキーワードリストの例を示す図である。
【図２８】図書館における無線タグ購入画面の例を示す図である。
【符号の説明】
【００５１】
１    出版情報サービスセンタ
２    図書館
３    書店
４    個人ユーザ
６    無線タグ
１０    出版情報サービスセンタのサーバ
１１    出版情報サービスセンタの書籍情報データベース
１４    検索キーワード履歴情報データベース
１７    無線タグ発行装置
４０    個人ユーザのパーソナルコンピュータ
４１    個人ユーザの書籍情報データベース
４５    無線タグ読取り装置
７２    タグセンサ
４００    管理プログラム
１１０１  無線タグの記録コード
１１０２  識別情報
１１０６  詳細情報
１１０７  課金情報
【図１】
2005309597.tif 000003
【図２】
2005309597.tif 000004
【図３】
2005309597.tif 000005
【図４】
2005309597.tif 000006
【図５】
2005309597.tif 000007
【図６】
2005309597.tif 000008
【図７】
2005309597.tif 000009
【図８】
2005309597.tif 000010
【図９】
2005309597.tif 000011
【図１０】
2005309597.tif 000012
【図１１】
2005309597.tif 000013
【図１２】
2005309597.tif 000014
【図１３】
2005309597.tif 000015
【図１４】
2005309597.tif 000016
【図１５】
2005309597.tif 000017
【図１６】
2005309597.tif 000018
【図１７】
2005309597.tif 000019
【図１８】
2005309597.tif 000020
【図１９】
2005309597.tif 000021
【図２０】
2005309597.tif 000022
【図２１】
2005309597.tif 000023
【図２２】
2005309597.tif 000024
【図２３】
2005309597.tif 000025
【図２４】
2005309597.tif 000026
【図２５】
2005309597.tif 000027
【図２６】
2005309597.tif 000028
【図２７】
2005309597.tif 000029
【図２８】
2005309597.tif 000030